(57)【要約】【課題】    本考案は、クリアホルダーとしての使用だけでなく、光学式のマウスパットとしての機能を兼ね備え、通常のクリアホルダーよりも利便性を高めたクリアホルダーであり、且つ印刷を施すことでより宣伝広告効果を得られることができる。【解決手段】  本考案は、クリアホルダーの表面にパーソナルコンピューターの光学式マウス対応のマウスパットの機能を持つ印刷をすることによりそれぞれの機能を兼ね備え、且つクリアホルダー、マウスパット単体としてもその機能を活かして使用することが可能になる。  また、宣伝広告効果をより高めるために印刷を施す。【選択図】図１
0003130041.tif 000002
【実用新案登録請求の範囲】
【請求項１】
クリアホルダーの一部にパーソナルコンピューターのボール式マウスでも、光学式マウスでも対応できる任意の印刷をし、クリアホルダーとしてもマウスパットとしても使用できることを可能にする。
【請求項２】
前記の仕様で、クリアホルダーとしてもマウスパットとしても使用でき、且つ文字や写真印刷を施してもマウスパットとしての機能を失わない形を有する請求項１記載のマウスパット機能付きクリアホルダー。
【考案の詳細な説明】
【技術分野】
【０００１】  本考案は主として、フイルムシート材料に対して多目的に使用できる利便性の高いノベルティー商品に関する。
【背景技術】
【０００２】  従来のクリアホルダーは、クリアホルダーとしてだけの使用方法しかなかったため、機能性が多分にはなかった。また、マウスパットにもマウスパットとしてだけの使用方法がなかった。【０００３】  従来のマウスパットは光学式対応の場合、印刷が施されたものでは光学式のマウス機能が損なわれ、作動に問題があった。
【考案が解決しようとする課題】
【０００４】    本考案は、クリアホルダーとして使用できるだけでなく、机上にてマウスパットとしても使用できることで、一つのクリアホルダーの中に文房具としての機能を更に加えることができるだけでなく、クリアホルダーの特性を活かしたままパーソナルコンピューターの光学式マウスでもボール式マウスでも対応できるマウスパットとして使用できる。また、印刷を施すことにより宣伝広告効果を得られることができる。
更にマウスパット機能付きクリアホルダーの材料シートの素材を再生樹脂材料もしくはトウモロコシ等から製造されるＰＬＡ《ポリ乳酸》を主原料としたプラスチック材料を使用して環境に優しい商品として作成することもできる。
【課題を解決するための手段】
【０００５】  本考案は、クリアホルダーにパーソナルコンピューターの光学式マウスでも対応できるマウスパットとして使用できる特性を持った印刷をすることにより、クリアホルダーとしてもマウスパットとしても使用ができる。
また、材料シートに宣伝広告印刷を施すことにより、より高い宣伝広告効果を出すことができる。
【考案実施の形態】
【０００６】  図１は本考案のパーソナルコンピューターにおける光学式マウスパットに対応する機能をもったクリアホルダーの印刷物であるマウスパット機能付きクリアホルダー（Ｆ）の視図である。マウスパットの機能を持った印刷部（Ｍ）はマウスパット機能付きクリアホルダー表面（１）の表面から表刷印刷をしている。図１でマウスパット機能付きクリアホルダー（Ｆ）の左辺（ａ）は山折になっており、底辺（ｂ）は圧着されている。そのため左辺（ａ）と底辺（ｂ）は閉じた状態になっている。上辺（ｄ）と右辺（ｃ）は開口しているため、ここから書類等を出し入れすることができる。
マウスパット機能付きクリアホルダー（Ｆ）の表面に光学式マウスパットに対応できる印刷が施してあるため、印刷部にパーソナルコンピューターのマウスを置くことによりマウスパットとして使用することができる。更に光学式マウス対応の印刷が施されているため、クリアホルダーとして中に書類等を入れた状態でマウスパットとして使用してもマウスの反応は損なわれない。また、マウスパット機能付きクリアホルダー表面（１）の裏面から宣伝広告用の印刷（図示せず）を施すことで、宣伝効果の高いノベルティー商品や販売促進商品等としても使用することができる。光学式対応のマウスパットは、印刷を施すと光学式の反応が鈍くなるが、この仕様で印刷されているマウスパットの機能を持った印刷部（Ｍ）は宣伝広告用の印刷（図示せず）を施してもマウスの動きに影響を与えない。
また、光透過性を有する樹脂材料シートの素材を使用することで印刷デザイ面積を少なくして中に入れている書類等を見せることもできる。
このマウスパット機能付きクリアホルダー（Ｆ）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【考案の効果】
【０００７】  本考案は、クリアホルダーとして利用でき、更に定規や分度器の機能を兼ね備えた筆記用具入れとしても、使用が可能で、廃棄する部分が少ないため環境に配慮した定規と分度器付きクリアホルダーを提供することができる。
且つ、シートに印刷されることによってクリアホルダーとして使用後も宣伝広告が可能である。
更に、シート材料を再生樹脂材料もしくはトウモロコシ等から製造されるＰＬＡ《ポリ乳酸》を主原料としたプラスチック材料を使用することにより、より環境に優しい商品を作成することができる。
【図面の簡単な説明】
【図１】    本考案の印刷物であるマウスパット機能付きクリアホルダー視図。
【図２】    図１のマウスパット機能付きクリアホルダーを切り離した際の視図。
【符号の説明】
Ｆ  マウスパット機能付きクリアホルダー
Ｍ  マウスパットの機能を持った印刷部
１  マウスパット機能付きクリアホルダーの表面
ａ    左辺
ｂ    下辺
ｃ    右辺
ｄ    上辺
【図１】
0003130041.tif 000003
【手続補正書】
【提出日】平成18年7月28日(2006.7.28)
【手続補正１】
【補正対象書類名】実用新案登録請求の範囲
【補正対象項目名】全文
【補正方法】変更
【補正の内容】
【実用新案登録請求の範囲】
【請求項１】
クリアホルダーの一部にパーソナルコンピューターのボール式マウスでも、光学式マウスでも対応できる任意の印刷をし、クリアホルダーとしてもマウスパットとしても使用できることを可能にするマウスパット機能付きクリアホルダー。
【請求項２】
前記の仕様で、クリアホルダーとしてもマウスパットとしても使用でき、且つ文字や写真印刷を施してもマウスパットとしての機能を失わない形を有する請求項１記載のマウスパット機能付きクリアホルダー。
【手続補正２】
【補正対象書類名】明細書
【補正対象項目名】図面の簡単な説明
【補正方法】変更
【補正の内容】
【図面の簡単な説明】
【図１】
本考案の印刷物であるマウスパット機能付きクリアホルダー視図。
【符号の説明】
Ｆ  マウスパット機能付きクリアホルダー
Ｍ  マウスパットの機能を持った印刷部
１  マウスパット機能付きクリアホルダーの表面
ａ    左辺
ｂ    下辺
ｃ    右辺
ｄ    上辺
【手続補正３】
【補正対象書類名】明細書
【補正対象項目名】考案の効果
【補正方法】変更
【補正の内容】
【考案の効果】
本考案は、クリアホルダーの表面にパーソナルコンピューターの光学式マウス対応のマウスパットの機能を持つ印刷をすることによりそれぞれの機能を兼ね備え、且つクリアホルダー、マウスパット単体としてもその機能を活かして使用することが可能になる。
且つ、シートに印刷されることによってクリアホルダーとして使用後も宣伝広告が可能である。
更に、シート材料を再生樹脂材料もしくはトウモロコシ等から製造されるＰＬＡ《ポリ乳酸》を主原料としたプラスチック材料を使用することにより、より環境に優しい商品を作成することができる。
【手続補正書】
【提出日】平成18年10月4日(2006.10.4)
【手続補正１】
【補正対象書類名】実用新案登録請求の範囲
【補正対象項目名】全文
【補正方法】変更
【補正の内容】
【実用新案登録請求の範囲】
【請求項１】
クリアホルダーの表面にシルクスクリーン印刷で半球状の印刷を施すことにより、パーソナルコンピューターのボール式マウスでも光学式マウスでも対応でき、且つクリアホルダーとしてもマウスパットとしても使用できることを可能にするマウスパット機能付きクリアホルダー。
【請求項２】
前記の仕様で、クリアホルダーの表面に施されたシルクスクリーン印刷の半球状のインクが光学式マウスの光を反射する均等な配列になっていることにより、クリアホルダー裏面に文字や写真印刷を施してもマウスパットとしての機能を失わない形を有する請求項１記載のマウスパット機能付きクリアホルダー。